(57)【要約】    【課題】  ベルトコードの蛇行を防止し、ユニフォミティに優れたタイヤを製造する。    【解決手段】  生ベルト１２を含みかつトレッドゴム２０が取り付けられない生ベルト基体１３を、カーカス円筒体１０を含む生タイヤ本体１１の半径方向外側に配する。前記生タイヤ本体１１を、トロイド状に膨出させるとともに、前記カーカス円筒体１０のタイヤ赤道部分の外周面が前記生ベルト１２の内周面に当接する接触位置Ｐを越えて連続して膨出し前記生ベルト１２をともに膨出させることにより、該生ベルト１２の両外端まで該生ベルト１２を前記生タイヤ本体１１の外周面に当接させたベルト貼付生タイヤ本体１５を形成する。前記円筒状の生ベルト１２の内周面の生ベルト内径Ｄａは、前記生タイヤ１Ｎにおける生ベルト１２Ｔの外端の直径Ｄｂの０．９０〜１．１０倍である。【選択図】  図４
2007076182.tif 000002
【特許請求の範囲】
【請求項１】
トレッド部からサイドウォール部をへてビード部のビードコアに至る１枚以上のカーカスプライからなるカーカスと、該カーカスの半径方向外側かつトレッド部の内部に配される１枚以上のベルトプライからなるベルトとを具えた自動二輪車用ラジアルタイヤの製造方法であって、
シート状のカーカスプライが成形ドラムに巻回され、かつその両端部にビードコアが装着されたカーカス円筒体を含む円筒状の生タイヤ本体を形成する生タイヤ本体形成工程と、
タイヤ周方向に対して傾斜配列したベルトコードをトッピングゴムを用いてシート状としたベルトプライを巻回させた円筒状の生ベルトを含みしかもトレッドゴムが取り付けられない生ベルト基体を準備し、かつ該生ベルト基体を前記生タイヤ本体の半径方向外側に間隙を有して配する生ベルト配置工程と、
前記生タイヤ本体を、前記ビードコア間の間隔を減じつつ該ビードコア間でトロイド状に膨出させるとともに、前記カーカス円筒体のタイヤ赤道部分の外周面が前記生ベルトの内周面に当接する接触位置を越えて連続して膨出し前記生ベルトをともに膨出させることにより、該生ベルトの両外端まで該生ベルトを前記生タイヤ本体の外周面に当接させたベルト貼付生タイヤ本体を形成するベルト貼付・膨出工程と、
前記ベルト貼付生タイヤ本体の外周面に、トレッドゴムを貼着して生タイヤを形成するトレッド形成工程と、
該生タイヤを加硫成形する加硫工程とを含むとともに、
前記円筒状の生ベルトの内周面の生ベルト内径Ｄａは、前記生タイヤにおける生ベルトの外端の直径Ｄｂの０．９０〜１．１０倍であることを特徴とする自動二輪車用ラジアルタイヤの製造方法。
【請求項２】
前記生ベルト内径Ｄａは、前記生タイヤにおける生ベルトのタイヤ赤道での外径Ｄｃの０．７５〜１．００倍であることを特徴とする請求項１記載の自動二輪車用ラジアルタイヤの製造方法。
【請求項３】
前記トレッド形成工程は、トレッドゴム用の幅広帯状ゴムを、前記ベルト貼付生タイヤ本体の外周面上で一周巻きして筒状体を形成し、かつ該筒状体をステッチダウンすることにより、その全幅に亘り前記ベルト貼付生タイヤ本体の外周面に貼着することを特徴とする請求項１又は２記載の自動二輪車用ラジアルタイヤの製造方法。
【請求項４】
前記トレッド形成工程は、トレッドゴム用の幅狭テープ状のゴムストリップを、前記ベルト貼付生タイヤ本体の外周面上で該外周面に沿って周方向かつ螺旋状に重ねて巻き付けしてストリップ巻付体を形成することにより、その全幅に亘り前記ベルト貼付生タイヤ本体の外周面に貼着することを特徴とする請求項１又は２記載の自動二輪車用ラジアルタイヤの製造方法。
【請求項５】
前記ベルトは２枚のベルトプライからなり、かつ各ベルトプライのベルトコードはタイヤ周方向に対して４０〜８５°の角度で傾斜するとともに、プライ間でベルトコードの傾斜の向きを相違させたことを特徴とする請求項１〜４の何れかに記載の自動二輪車用ラジアルタイヤの製造方法。
【発明の詳細な説明】
【技術分野】
【０００１】
本発明は、カーカスプライにベルトプライを貼着する際に生じるベルトコードの蛇行等の配列乱れを抑制し、タイヤのユニフォミティーを向上しうる自動二輪車用ラジアルタイヤの製造方法に関する。
【背景技術】
【０００２】
ラジアルタイヤにおける生タイヤ（加硫前のタイヤ）の製造工程では、下記の方法が広く採用されている（例えば特許文献１参照）。具体的には、図７（Ａ）に示すように、予め、シート状のベルトプライａ（本例では２枚の）及びトレッドゴムｂを順次巻回して円筒状の一体のトレッド部材ｃ（所謂トレッドリング）を形成する。このとき、前記トレッド部材ｃの内径は、仕上がりタイヤのタイヤ赤道におけるベルト内径と近似した値としている。他方、シート状のカーカスプライｅを巻回しかつその両端部にビードコアｆを装着したカーカス円筒体ｇ１を含む円筒状の生タイヤ本体ｇを形成するとともに、予め準備した前記トレッド部材ｃを、前記生タイヤ本体ｇの半径方向外側に配置する。そして、前記生タイヤ本体ｇを、前記ビードコアｆ、ｆ間の間隔を減じつつ該ビードコアｆ、ｆ間でトロイド状に膨出させることにより、生タイヤ本体ｇとトレッド部材ｃとを貼り付ける。
【０００３】
この貼り付けに際しては、図７（Ｂ）に示すように、円筒状のトレッド部材ｃをステッチダウンさせ、即ちトレッド部材ｃの両端側を生タイヤ本体ｇの湾曲形状に合わせてタイヤ半径方向内方に巻きおろし、これによりトレッド部材ｃをその全幅に亘りに生タイヤ本体ｇに貼着する。
【特許文献１】特開２００２−６７１８４号公報
【発明の開示】
【発明が解決しようとする課題】
【０００４】
このステッチダウンでは、トレッドゴムｂは、未加硫状態ゆえ可塑性を有し比較的自由に変形させることができる。しかし、ベルトプライａには、ベルトコードがタイヤ周方向に対して傾斜配列している。そのため、ベルトプライａでは、外径が著しく減少する所謂マイナスストレッチにより、両端部が波打ち状に変形してしまい、ベルトコードに蛇行等の配列乱れが発生するという不具合を招く。この傾向は、特にトレッド曲率半径が小な自動二輪車用のラジアルタイヤにおいて顕著となり、タイヤのユニフォミティを悪化させ、走行時に予期しない振動を発生させたり、操縦安定性を悪化させる。
【０００５】
本発明は、以上のような問題点に鑑み案出なされたもので、ベルトコードの蛇行等の配列乱れを効果的に抑制でき、タイヤのユニフォミティーを向上しうる自動二輪車用ラジアルタイヤの製造方法を提供することを目的としている。
【課題を解決するための手段】
【０００６】
本発明のうち請求項１記載の発明は、トレッド部からサイドウォール部をへてビード部のビードコアに至る１枚以上のカーカスプライからなるカーカスと、該カーカスの半径方向外側かつトレッド部の内部に配される１枚以上のベルトプライからなるベルトとを具えた自動二輪車用ラジアルタイヤの製造方法であって、  シート状のカーカスプライが成形ドラムに巻回され、かつその両端部にビードコアが装着されたカーカス円筒体を含む円筒状の生タイヤ本体を形成する生タイヤ本体形成工程と、
タイヤ周方向に対して傾斜配列したベルトコードをトッピングゴムを用いてシート状としたベルトプライを巻回させた円筒状の生ベルトを含みしかもトレッドゴムが取り付けられない生ベルト基体を準備し、かつ該生ベルト基体を前記生タイヤ本体の半径方向外側に間隙を有して配する生ベルト配置工程と、
前記生タイヤ本体を、前記ビードコア間の間隔を減じつつ該ビードコア間でトロイド状に膨出させるとともに、前記カーカス円筒体のタイヤ赤道部分の外周面が前記生ベルトの内周面に当接する接触位置を越えて連続して膨出し前記生ベルトをともに膨出させることにより、該生ベルトの両外端まで該生ベルトを前記生タイヤ本体の外周面に当接させたベルト貼付生タイヤ本体を形成するベルト貼付・膨出工程と、
前記ベルト貼付生タイヤ本体の外周面に、トレッドゴムを貼着して生タイヤを形成するトレッド形成工程と、
該生タイヤを加硫成形する加硫工程とを含むとともに、
前記円筒状の生ベルトの内周面の生ベルト内径Ｄａは、前記生タイヤにおける生ベルトの外端の直径Ｄｂの０．９０〜１．１０倍であることを特徴としている。
【０００７】
又請求項２の発明では、前記生ベルト内径Ｄａは、前記生タイヤにおける生ベルトのタイヤ赤道での外径Ｄｃの０．７５〜１．００倍であることを特徴としている。
又請求項３の発明では、前記トレッド形成工程は、トレッドゴム用の幅広帯状ゴムを、前記ベルト貼付生タイヤ本体の外周面上で一周巻きして筒状体を形成し、かつ該筒状体をステッチダウンすることにより、その全幅に亘り前記ベルト貼付生タイヤ本体の外周面に貼着することを特徴としている。
又請求項４の発明では、前記トレッド形成工程は、トレッドゴム用の幅狭テープ状のゴムストリップを、前記ベルト貼付生タイヤ本体の外周面上で該外周面に沿って周方向かつ螺旋状に重ねて巻き付けしてストリップ巻付体を形成することにより、その全幅に亘り前記ベルト貼付生タイヤ本体の外周面に貼着することを特徴としている。
又請求項５の発明では、前記ベルトは２枚のベルトプライからなり、かつ各ベルトプライのベルトコードはタイヤ周方向に対して４０〜８５°の角度で傾斜するとともに、プライ間でベルトコードの傾斜の向きを相違させたことを特徴としている。
【発明の効果】
【０００８】
本発明は叙上の如く、シート状のベルトプライを巻回させた円筒状の生ベルトからなりかつトレッドゴムを含まない生ベルト基体を、従来のトレッドリングに代えて使用している。しかも、この円筒状の生ベルトの内径（生ベルト内径）Ｄａを、生タイヤにおける生ベルトの外端の直径Ｄｂの０．９０〜１．１０倍の範囲と、従来のトレッドリングの内径に比して非常に小さく設定している。
【０００９】
そのため、前記生タイヤ本体をトロイド状に膨出させる際、カーカス円筒体は、そのタイヤ赤道部分が円筒状の生ベルトの内周面に接触した後、この生ベルトと一体となって共に膨出することができる。従って、前記膨出にともなって、前記生ベルトを、その両外端まで前記生タイヤ本体の外周面に当接させて貼り付けることができる。このように生ベルトがマイナスストレッチとならないため、ベルトコードの蛇行等の配列乱れを効果的に抑制でき、タイヤのユニフォミティーの向上を達成できる。
【発明を実施するための最良の形態】
【００１０】
以下、本発明の実施の一形態を図面に基づき説明する。図１は、本発明の製造方法により製造された自動二輪車用ラジアルタイヤの一例を示す断面図である。
図１において、自動二輪車用ラジアルタイヤ１（以下タイヤ１という）は、路面に接地するトレッド面２Ｓが、タイヤ赤道Ｃからトレッド端Ｔｅまで凸円弧状に湾曲してのびるトレッド部２を有し、かつ前記トレッド端Ｔｅ、Ｔｅ間のタイヤ軸方向距離がタイヤ最大巾をなすことにより、大きなバンク角での旋回走行を可能としている。又タイヤ１には、前記トレッド部２からサイドウォール部３をへてビード部４のビードコア５に至るカーカス６と、トレッド部２の内部かつ前記カーカス６の半径方向外側に配されるベルト７とが配される。
【００１１】
前記カーカス６は、少なくとも１枚、本例では１枚のカーカスプライ６Ａから形成される。このカーカスプライ６Ａは、前記ビードコア５、５間に架け渡されるプライ本体部６ａの両端に、前記ビードコア５の回りでタイヤ軸方向内側から外側に折り返されるプライ折返し部６ｂを一連に具える。そしてこのプライ本体部６ａとプライ折返し部６ｂとの間には、前記ビードコア５からタイヤ半径方向外側に立ち上がるビード補強用のビードエーペックスゴム８が配設される。なお前記カーカスプライ６Ａは、トッピングゴム中に、カーカスコードをタイヤ周方向に対して例えば７５゜〜９０゜の角度で配列したコードプライからなり、カーカスコードとして、例えばナイロン、ポリエステル、レーヨン等の有機繊維コードが好適に使用される。
【００１２】
又前記ベルト７は、少なくとも１枚、本例では２枚のベルトプライ７Ａ、７Ｂから形成される。各ベルトプライ７Ａ、７Ｂは、トッピングゴム中に、ベルトコードをタイヤ周方向に対して例えば４０〜８５°の角度で傾斜配列したカットエンドのコードプライからなり、プライ間でベルトコードの傾斜の向きを相違させている。このようにベルトコードがプライ間相互で交差することによりベルト剛性が高まり、トレッド部２を強固に補強することができる。ベルトコードとしては、有機繊維コードが好適であるが、必要によりスチールコードなども採用できる。又ベルト７は、前記トレッド面２Ｓにほぼ沿ってタイヤ半径方向外側に凸となる円弧状に湾曲し、本例ではベルト７のキャンバー比（ベルト７のタイヤ軸方向の幅Ｂで、ベルト７のタイヤ半径方向の膨出量Ａを除した値Ａ／Ｂ）を０．１０〜０．５０の範囲に設定している。
【００１３】
次に、前記タイヤ１の製造方法の実施形態について説明する。
本発明の製造方法は、生タイヤ本体形成工程Ｓ１と、生ベルト配置工程Ｓ２と、ベルト貼付・膨出工程Ｓ３と、トレッド形成工程Ｓ４と、加硫工程とを含んで構成される。
【００１４】
前記生タイヤ本体形成工程Ｓ１は、図２に示す如く、従来と実質的に同工程であり、シート状の生カーカスプライ６Ｎを成形ドラム４０上で巻回し、かつその両端部にビードコア５を装着することにより、カーカス円筒体１０を含む円筒状の生タイヤ本体１１を形成する。本例では、前記カーカス円筒体１０として、ビードコア５装着後に、カーカス円筒体１０の両端部を該ビードコア５の廻りで折り返して係止したものを例示している。又前記円筒状の生タイヤ本体１１としては、前記カーカス円筒体１０に、例えばインナーライナ形成用の生インナーライナゴム、サイドウォール外皮形成用の生サイドウォールゴム、ビード外皮形成用の生クリンチゴム等の周知のタイヤ構成部材を添着することができる。  
【００１５】
そしてこの生タイヤ本体１１は、本例では、前記成形ドラム４０の縮径によって該成形ドラム４０から取外された後、図３に示すように、２ｎｄフォーマ４１に移送され、この２ｎｄフォーマ４１を用いてベルト貼付・膨出工程Ｓ３、及びトレッド形成工程Ｓ４が行われる。なお、前記２ｎｄフォーマ４１は、移送された前記生タイヤ本体１１のビードコア５、５を軸方向に近づき可能にクランプするクランプリング４２と、前記生タイヤ本体１１をビードコア５、５間でトロイド状に膨出させるゴムブラダー（図示しない）とを含んで構成している。
【００１６】
次に、前記生ベルト配置工程Ｓ２では、前記図３の如く、まず前述の如くベルトコードを傾斜配列させたシート状の生ベルトプライ７Ｎを巻回させた円筒状の生ベルト１２を含む生ベルト基体１３を予め形成して準備する。ここで、生ベルト１２は、左右一対のベル４３Ａ、４３Ｂに分割された円筒状のベルト形成ドラム４３上に、前記シート状の生ベルトプライ７Ｎを巻回することにより形成される。前記ベル４３Ａ、４３Ｂは、同径の円筒形状体であって、その軸芯方向に接離移動可能に支持され、例えば軸芯方向への離間移動（矢印にて示す）によって、ベル４３Ａ、４３Ｂ間に設けた隙間４４を拡大することができる。なお生ベルトプライ７Ｎは、その幅中心を前記隙間４４の幅中心に揃えて巻き付けられるが、その際の前記隙間４４は、巻き付け形状が不安定にならない程度に少、又は零に設定される。本例では、生ベルト基体１３を前記生ベルト１２のみによって形成しているが、該生ベルト基体１３としては、前記生ベルト１２の膨張を阻害しない部材、例えばベルト端での損傷を抑制するための緩衝ゴムなど軟質の薄いゴム部材を、生ベルト１２の例えば外端部に付設することもできる。
【００１７】
そして、前記ベルト形成ドラム４３上に形成された生ベルト基体１３を、前記生タイヤ本体１１の半径方向外側に間隙を有して配置する。
【００１８】
次に、前記ベルト貼付・膨出工程Ｓ３では、図４（Ａ）、（Ｂ）に示すように、前記生タイヤ本体１１を、前記ビードコア５、５間の間隔を減じつつ該ビードコア５、５間でトロイド状に膨出させる。このとき、前記生ベルト１２の内周面の直径である生ベルト内径Ｄａは、従来のトレッドリングの内径よりも充分小に設定されている。具体的には、該生ベルト内径Ｄａを、生タイヤ１Ｎ（図５に示す）における生ベルト１２Ｔの外端７Ｎｅの直径Ｄｂの０．９０〜１．１０倍の範囲に設定する。その結果、まず前記カーカス円筒体１０は、そのタイヤ赤道部分１０Ｃの外周面が前記生ベルト１２の内周面に当接する。その後、カーカス円筒体１０は、その接触位置Ｐ１を越えて連続して半径方向外方に膨出する。このとき、前記生ベルト基体１３が、トレッドゴムなど生ベルト１２の膨張を阻害する部材を含まないため、前記接触位置Ｐ１の後は、カーカス円筒体１０は、前記生ベルト１２とともに容易に膨出することができる。又この膨出に伴い、前記生ベルト１２は、その両外端まで前記生タイヤ本体１１の外周面と自動的に当接し、貼着される。これにより、生ベルト１２が生タイヤ本体１１に当接されかつ貼着されたベルト貼付生タイヤ本体１５を形成できる。
【００１９】
このベルト貼付・膨出工程Ｓ３では、前記生タイヤ本体１１がベルト形成ドラム４３と接触してその膨出を妨げるのを防ぐため、ベル４３Ａ、４３Ｂを離間移動させながら前記膨出を行い、前記接触位置Ｐ１を越えた膨出部分は、前記隙間４４から半径方向外方に突出させ、逃がしている。このとき、前記ベル４３Ａ、４３Ｂが前記生ベルト１２に対して滑りを生じながら円滑に軸心方向に横移動しうるように、該ベル４３Ａ、４３Ｂの外周面には、例えばアドロン処理やテフロン（登録商標）コーテイング処理などの低摩擦処理を施すことが好ましい。
【００２０】
このようなベルト貼付・膨出工程Ｓ３を行うことにより、過度のマイナスストレッチを招くことなく、生ベルト１２を前記生タイヤ本体１１の膨出形状に沿って湾曲せしめ、かつ該生タイヤ本体１１の外周面に直接的に貼着することができる。従って、マイナスストレッチに起因するベルトコードの蛇行などの配列乱れを防止でき、タイヤのユニフォミティーを高めることが可能となる。
【００２１】
そのためには、前述の如く、前記生ベルト内径Ｄａを、生タイヤ１Ｎ（図５に示す）における生ベルト１２Ｔの外端７Ｎｅの直径Ｄｂの０．９０〜１．１０倍の範囲に設定することが必要である。この生ベルト内径Ｄａと前記直径Ｄｂとの比Ｄａ／Ｄｂが０．９０未満では、生タイヤ本体１１が充分に膨出する前のフラットな状態で生ベルト１２と接触してしまうため、生ベルト１２による膨出への抵抗が過大となり、ベルト貼付生タイヤ本体１５の形成が困難となる。又厳密には、前記比Ｄａ／Ｄｂが１．００を超えると、生ベルト１２の外端部にマイナスストレッチとなる部分が形成される。しかし比Ｄａ／Ｄｂが１．１０以下の範囲では、前記マイナスストレッチとなる部分は、ベルトコード自身の剛性等に起因して、生ベルト１２の中央側での湾曲形状に沿って半径方向内側に引き下ろされる。即ち外力の影響を受けることなく、生タイヤ本体１１と貼着できるため、ベルトコードの蛇行などの配列乱れを防止できる。しかし、１．１０を超えると、生ベルト１２の外端部でのマイナスストレッチが過大となるため、ベルトコードの蛇行などの配列乱れを充分に防止することができなくなる。このような観点から、前記比Ｄａ／Ｄｂの下限値を、前記１．００以上とするのがより好ましく、上限値を、１．０５以下とするのがより好ましい。
【００２２】
なお生タイヤ１Ｎにおける生ベルト１２Ｔの湾曲形状は、特に規制されないが、前記生ベルト内径Ｄａは、前記生タイヤ１Ｎにおける生ベルト１２Ｔのタイヤ赤道Ｃでの外径Ｄｃの０．８０〜０．９５倍の範囲であるのが好ましい。０．８０未満では、ベルト層の拘束力が強く精度の良い膨張が難しく、逆に０．９５をこえると、ベルト端での波打ちが大きくなる。又前記外径Ｄｃは、加硫ストレッチを考慮して、加硫後の仕上がりタイヤ１（図１に示す）におけるベルト７のタイヤ赤道Ｃでの外径ＤＣの９５〜１００％の範囲に設定される。
【００２３】
又前記円筒状の生ベルト１２を、前記生タイヤ本体１１とともに膨出させるためには、前記ベルトコードのタイヤ周方向に対する角度を、４５〜８５°の範囲とするのが好ましく、４５°未満ではタガ効果が過大となって、精度の良い膨出が難しく、逆に８５°を超えると、タイヤの操縦安定性の低下傾向を招く。
【００２４】
次に、前記トレッド形成工程Ｓ４では、前記ベルト貼付生タイヤ本体１５の外周面に、トレッドゴム２０を貼着して生タイヤ１Ｎを形成する。本例では、トレッド形成工程Ｓ４として、図５に示すように、押出成形された断面略台形状のトレッドゴム用の幅広帯状ゴム２１を、前記ベルト貼付生タイヤ本体１５の外周面上で一周巻きすることにより、生トレッドゴムの筒状体２２形成する。そしてこの筒状体２２を、従来と同様の適宜の手法によりステッチダウンすることにより、前記筒状体２２の全幅に亘り、該筒状体２２を前記ベルト貼付生タイヤ本体１５の外周面に貼着する。
【００２５】
なお前記トレッド形成工程Ｓ４としては、図６に示すように、トレッドゴム用の幅狭テープ状のゴムストリップ２３を、前記ベルト貼付生タイヤ本体１５の外周面上で該外周面に沿って周方向かつ螺旋状に重ねて巻き付けしてストリップ巻付体２４を形成する。これにより、ストリップ巻付体２４を、その全幅に亘り前記ベルト貼付生タイヤ本体１５の外周面に貼着する。
【００２６】
又前記加硫工程は、従来と実質的に同工程であり、前記生タイヤ１Ｎを加硫金型内で加硫成形することにより、仕上がりタイヤ１を形成する。
【００２７】
以上、本発明の特に好ましい実施形態について詳述したが、本発明は図示の実施形態に限定されることなく、種々の態様に変形して実施しうる。
【実施例】
【００２８】
本発明の製造方法に従い、タイヤサイズ１８０／５５ＺＲ１７の自動二輪車用ラジアルタイヤを製造し、そのユニフォミティを測定した。また比較のために、図７で示す如く、トレッドリングをステッチダウンさせる方法で従来タイヤを製造し、性能を比較した。タイヤの内部構造は、図１に示した通りであり、ナイロンコードよりなる１枚のカーカスプライ（周方向に対するコード角度９０°）と、芳香族ポリアミドコードよりなる２枚のベルトプライ（周方向に対するコード角度±２６°）とを具える。
【００２９】
ユニフォミティについては、各方法にて製造されたタイヤからそれぞれの２０本を無作為に抽出し、クラウン部におけるラテラルフォースバリエーション（ＬＦＶ）、両側のショルダ部でのラテラルランナウト（ＬＲＯＴ、ＬＲＯＢで末尾の「Ｔ」はトップの略で、上下２分割金型の上型側で成型されたショルダ部のＬＲＯを意味しており、同「Ｂ」はボトムの略で、上下２分割金型の下型側で成型されたショルダ部のＬＲＯを意味する。）をそれぞれ測定し、その平均値を示した。いずれも値が小さいほど良好である。なお測定条件は、ＪＡＳＯ  Ｃ６０７に準拠し、リムサイズＭＴ５．５０×１７、内圧（２００ｋＰａ）、荷重（２．２６ｋＮ）とした。テスト結果を表１に示す。
【００３０】
【表１】
2007076182.tif 000003
【００３１】
テストの結果、本発明の製造方法は、従来の製造方法に比してタイヤのユニフォミティを向上しうることが確認できる。
【図面の簡単な説明】
【００３２】
【図１】本発明により製造された空気入りタイヤの断面図である。
【図２】生タイヤ本体形成工程を示す断面略図である。
【図３】生ベルト配置工程を示す断面略図である。
【図４】（Ａ）、（Ｂ）は、ベルト貼付・膨出工程を示す断面略図である。
【図５】トレッド形成工程の一実施例を示す断面略図である。
【図６】トレッド形成工程の他の実施例を示す断面略図である。
【図７】（Ａ）、（Ｂ）は、従来のタイヤ製造方法を説明する断面略図である。
【符号の説明】
【００３３】
１Ｎ    生タイヤ
２      トレッド部
３      サイドウォール部
４      ビード部
５      ビードコア
６      カーカス
６Ａ    カーカスプライ
６Ｎ    カーカスプライ
７      ベルト
７Ａ、７Ｂ      ベルトプライ
７Ｎ    ベルトプライ
１０    カーカス円筒体
１１    生タイ本体
１２    生ベルト
１３    生ベルト基体
１５    ベルト貼付生タイヤ本体
２０    トレッドゴム
２１    幅広帯状ゴム
２２    筒状体
２３    ゴムストリップ
２４    ストリップ巻付体
４０    成形ドラム
Ｐ      接触位置
Ｓ１    生タイヤ本体形成工程
Ｓ２    生ベルト配置工程
Ｓ３    ベルト貼付・膨出工程
Ｓ４    トレッド形成工程
Ｓ５    加硫工程
【図１】
2007076182.tif 000004
【図２】
2007076182.tif 000005
【図３】
2007076182.tif 000006
【図４】
2007076182.tif 000007
【図５】
2007076182.tif 000008
【図６】
2007076182.tif 000009
【図７】
2007076182.tif 000010